(57)【特許請求の範囲】
【請求項１】
天板（１）と、底板（２）と、天板（１）の側壁内側に回動自在に取り付けられた上側板体（３１）の端部と底板（２）の側壁内側に回動自在に取り付けられた下側板体（３２）の端部を回動自在に連結してなる対向側板（３、３）とを備え、対向側板（３、３）を底板（２）上に折り重ねて折り畳まれ、対向側板（３、３）を天板（１）及び底板（２）に対して略垂直に立ち上げて組み立てられるように構成された折り畳み式運搬用容器において、
天板（１）の側壁内面に天面側から外側へ傾斜する面を有する突起（１ａ）、底板（２）の側壁内面に底面側から外側へ傾斜する面を有する突起（２ａ）がそれぞれ設けられ、上側板体（３１）の天板（１）との連結部近傍の外面と下側板体（３２）の底板（２）との連結部近傍の外面にもそれぞれ突起（３１ａ、３２ａ）が設けられているとともに、
これらの突起は、容器を組み立てた状態で、突起（１ａ）と突起（３１ａ）、突起（２ａ）と突起（３２ａ）がそれぞれ若干の隙間を開けて対向し合い、上側側板（３１）と下側側板（３２）が前記組み立て状態の位置よりも外方へ回動したときに、突起（１ａ）の傾斜面に突起（３１ａ）、突起（２ａ）の傾斜面に突起（２ａ）がそれぞれ衝突するように設けられていることを特徴とする折り畳み式運搬用容器。
【発明の詳細な説明】
【０００１】
【発明の属する技術分野】
本発明は物品を収納して保管や運搬などに用いる折り畳み式の容器に関する。
【０００２】
【従来の技術】
図４は折り畳み式運搬用容器の一例を示している。この容器は、天板１と、底板２と、天板１の側壁内側に回動自在に取り付けられた上側板体３１と底板２の側壁内側に回動自在に取り付けられた下側板体３２とを連結部３３で回動自在に連結してなる対向側板３，３とから構成され、対向側板３，３を底板２上に二つ折りに重ねて折り畳め、対向側板３，３を天板１及び底板２に対して略垂直に立ち上げて組み立てられ、天板１及び底板２の一側に取り付けられた回動板１１，２１を上下に回動して物品を収納できるようになっている。
【０００３】
また、図５に示された運搬用容器は、枠形の天板１と、底板２と、前記と同様に天板１と底板２の側壁内側に回動自在に取り付けられた上側板体３１と下側板体３２とを連結部３３で回動自在に連結してなる対向側板３，３と、天板１に回動自在に取り付けられた他の対向側板としてのあおり板４，４とから構成され、あおり板４，４を内方へ水平状に回動した状態で対向側板３，３を底板２上に二つ折りに重ねて畳め、対向側板３，３を立ち上げた状態であおり板４，４を外方へ回動して底板２上に立ち上げるとともに、対向側板３，３の内壁面間に嵌め入れることにより組み立てられるようになっている。
【０００４】
【課題を解決するための手段】
前記課題を解決するため本発明の折り畳み式運搬用容器は、天板（１）と、底板（２）と、天板（１）の側壁内側に回動自在に取り付けられた上側板体（３１）の端部と底板（２）の側壁内側に回動自在に取り付けられた下側板体（３２）の端部を回動自在に連結してなる対向側板（３、３）とを備え、対向側板（３、３）を底板（２）上に折り重ねて折り畳まれ、対向側板（３、３）を天板（１）及び底板（２）に対して略垂直に立ち上げて組み立てられるように構成された容器であって、天板（１）の側壁内面に天面側から外側へ傾斜する面を有する突起（１ａ）、底板（２）の側壁内面に底面側から外側へ傾斜する面を有する突起（２ａ）がそれぞれ設けられ、上側板体（３１）の天板（１）との連結部近傍の外面と下側板体（３２）の底板（２）との連結部近傍の外面にもそれぞれ突起（３１ａ、３２ａ）が設けられているとともに、これらの突起は、容器を組み立てた状態で、突起（１ａ）と突起（３１ａ）、突起（２ａ）と突起（３２ａ）がそれぞれ若干の隙間を開けて対向し合い、上側側板（３１）と下側側板（３２）が前記組み立て状態の位置よりも外方へ回動したときに、突起（１ａ）の傾斜面に突起（３１ａ）、突起（２ａ）の傾斜面に突起（２ａ）がそれぞれ衝突するように設けられていることを特徴とする。
【０００５】
一方、後者においては、底板２上に立ち上げたあおり板４，４が対向側板３，３の内壁面間に嵌め入れてあれば、あおり板４，４によって対向側板３，３の立設状態が保持されるため、上方から荷重がかかっても側板３が外側に折れ曲がるようなことはないが、容器取り扱い中に、あおり板４，４を内方へ回動して対向側板３，３間から外した際に一方の側板３が外側に折れ、その状態で前記と同様に上方から大きな荷重をかけて側板３の連結部３３などを破損させてしまうことがあった。
【０００６】
何れも容器の折り畳み作業を注意深く行えばこのような事故は防げるが、一度に多数の容器を短時間で扱わなければならない作業環境下では、勢い容器の取り扱いも乱暴となって破損させやすく、したがって、容器の取り扱い方に関わりなく、側板３が必要以上に外側に折れ曲がることのない構造とする必要がある。
【０００７】
本発明は従来技術のこのような問題点に鑑み、側板を底板上に折りに重ねて畳むことのできる運搬用容器において、側板を外側に折れ曲がり難くい構造とし、容器取り扱い中の側板などの破損を防止することを課題とする。
【０００８】
【課題を解決するための手段】
前記課題を解決するため本発明の折り畳み式運搬用容器は、天板と、底板と、天板の側壁内側に回動自在に取り付けられた上側板体と底板の側壁内側に回動自在に取り付けられた下側板体とを折り重ね可能に連結してなる対向側板とを備え、対向側板を底板上に折り重ねて折り畳まれ、対向側板を天板及び底板に対して略垂直に立ち上げて組み立てられるように構成された容器であって、対向側板を立ち上げた状態で対向する上側板体の外面と天板の側壁内面、又は下側板体の外面と底板の側壁内面にそれぞれ突起が設けられ、これら対向位置の突起同士が上側板体又は下側板体が容器外側に回動したときに衝突し合うように構成されたことを特徴とする。
【０００９】
これによれば、容器を折り畳む際、上側板体又は下側板体が容器外側に向かって回動すると、上側板体の外面と天板の側壁内面にそれぞれ設けられた突起同士、又は下側板体の外面と底板の側壁内面にそれぞれ設けられた突起同士が衝突し合うため、衝突位置よりもさらに外側へ回動することを妨げ、同時に衝突の反動によって上側板体又は下側板体が容器内方に反転回動し、正規の折り畳み位置に収まる。
【００１０】
各部の突起は適宜な大きさに設けることができるが、突起同士の衝突時の反動を大きく作用させるため、上下両側板体と天板又は底板との取り付け軸の近傍に設けることが好ましい。また、突起は上側板体と天板の対応位置か、下側板体と底板の対応位置の何れかに設けることができるが、側板の外側への折れ曲がりを確実に防止するため、上側板体と天板及び下側板体と底板の双方に設けることが好ましい。さらに、前記衝突時の反動を側板全体に均等に作用させるため、突起は前記取り付け軸の長さ方向に沿った中央付近に設けることが好ましい。突起を複数設けるときは、取り付け軸の長さ方向に沿って等間隔毎の配置となるように設けることが好ましい。
【００１１】
【発明の実施の形態】
本発明の好適な一実施例を図１〜図３を参照して説明する。なお、図中、従来例における部材と同一の部材には同一の符号を用いてある。
【００１２】
図１は本例の運搬用容器の要部断面を構成部材を展開した状態で示しており、図示されているように、本例の運搬用容器は図４に示された従来例と同様、天板１と、底板２と、上側板体３１と下側板体３２を連結部３３で回動自在に連結してなる対向側板３，３とからなり、上側板体３１の上端部と下側板体３２の下端部がピン接続によって天板１と底板２の側壁内側に形成された凹溝１２，２２にそれぞれ回動自在に取り付けられ、両取り付け軸１２ａ，２２ａと連結部３３で側板３を容器内方に二つ折りし、底板２上に重ねて畳めるように構成されている。
【００１３】
さらに本例の運搬用容器には、側板３を天板１及び底板２に対して略垂直に立ち上げた状態で対向する上側板体３１の外面と天板１の側壁内面、及び下側板体３２の外面と底板２の側壁内面にそれぞれ突起が設けられている。
【００１４】
詳しくは、上側板体３１には取り付け軸１２ａの近傍となる上端部外面に突起３１ａが設けられ、下側板体３２には取り付け軸２２ａの近傍となる下端部外面に突起３２ａが設けられている。また、天板１には側壁下端部内面に天面側から外側へ傾斜する面を有する突起１ａが設けられ、底板２には側壁上端部内面に底面側から外側へ傾斜する面を有する突起２ａが設けられている。これら突起の形成位置及び大きさは、側板３が天板１及び底板２に対して略垂直に立ち上がった状態で、突起３１ａと突起１ａが若干の隙間を開けて、突起３２ａと突起２ａが若干の隙間を開けてそれぞれ対向し合い、略垂直に立ち上がった側板３がさらに容器外側へ回動したときに衝突し合うように設定されている。なお、突起３１ａと突起３２ａ、突起１ａと突起２ａはそれぞれ容器を折り畳んだときに衝突し合わないように配置してある。また、図示されない他側の側板３にも同様に突起を設けてある。
【００１５】
このように構成された本例の運搬用容器は、対向側板３，３を天板１及び底板２に対して略垂直に立ち上げて組み立てられ、内部に物品を収納して搬送等することができる。この状態で、図２に示されているように、対応位置の突起３２ａ，２ａ同士が対向し合うが、突起間に若干の隙間が保持されるので、容器組み立ての妨げとはならない。
また、前記取り付け軸１２ａ，２２ａを支軸として対向側板３，３を容器内方へ回動すれば、両側板は連結部３３で二つ折りされ、底板２上に重ねて折り畳めることができる。
【００１６】
折り畳みなどの容器取り扱い中に、天板１及び底板２に対して略垂直に立ち上がった側板３が取り付け軸１２ａ，２２ａを支軸としてさらに外方へ回動し、図３に示されているように容器外側に折れ曲がると、上側板体３１と天板１とで対向した突起３１ａ，１ａと下側板体３２と底板２とで対向した突起３２ａ，２ａとが衝突し合って衝突位置よりもさらに外側へ折れ曲がることを防止し、これと同時に、衝突の反動によって側板３は容器内方へ反転回動され、底板２上の折り重ね位置に自動的に収められる。
したがって、容器取り扱い中に側板３が外側に折れ曲がるなどの中途半端に折り畳まれた状態となることはなく、利用者の取り扱い方に関わりなく、側板３が外側に折れ曲がることに伴う容器の破損を防止することができる。
【００１７】
なお、実施例は図４に示された従来例と同構造の容器に適用したが、本発明は、図５に示された枠形の天板及びあおり板を有する構造の容器にも適用できるものである。
【００１８】
【発明の効果】
本発明によれば、側板が容器外側に折れ曲がったときに突起同士が衝突し合い、その反動によって側板が容器内方へ反転回動されるので、容器取り扱い中に側板が外側に折れ曲がった状態となることがなく、従来、側板が外側に折れ曲がることに伴って生じていた容器の破損を防止することができる。
【図面の簡単な説明】
【図１】本発明の運搬用容器の一実施例の要部断面を構成部材を展開した状態で示した図である。
【図２】図１の容器の側板を立ち上げた状態の要部断面を拡大して示した図である。
【図３】図１の容器の側板が外側に折れ曲がった状態の要部断面を拡大して示した図である。
【図４】従来の運搬用容器の一例の組み立て状態と折り畳み状態の外観図である。
【図５】従来の運搬用容器の他の例の組み立て状態と折り畳み状態の外観図である。
【図６】図４の容器の側板が外側に折れ曲がった状態を示した側面図である。
【符号の説明】
1     天板
1a    突起
2     底板
2a    突起
3     側板
31     上側板体
31a    突起
32     下側板体
32a    突起
33     連結部
4     あおり板
【図１】
0003751486.tif 000002
【図２】
0003751486.tif 000003
【図３】
0003751486.tif 000004
【図４】
0003751486.tif 000005
【図５】
0003751486.tif 000006
【図６】
0003751486.tif 000007